(57)【要約】【課題】遺品や遺骨等が収納されて、ロケット等により宇宙空間に移送され、宇宙空間へ放出された後、遺品や遺骨等が自動的に散布され、宇宙を漂うようにした宇宙葬用遺品、遺骨等散布装置を提供する。【解決手段】外ケース１に両開きの扉２を設けると共に、この外ケース１の外面にソーラーパネル３を設け、さらに前記両開きの扉２が開放しないように外ケース１の周囲を包囲しておく細帯体４を設け、前記ソーラーパネル３で発電された電気により作動する切断手段５によって、前記細帯体４を切断することによって、前記両開きの扉２が宇宙で開放するようにしており、前記外ケース１の内部には、遺品や遺骨等が収納でき、宇宙で自然に開放して、その収納した遺品や遺骨等を宇宙に散布可能とした多数個の内ケース６を収納したものとしている。【選択図】    図１
0003162197.tif 000002
【実用新案登録請求の範囲】
【請求項１】
外ケース（１）に両開きの扉（２）を設けると共に、この外ケース（１）の外面にソーラーパネル（３）を設け、さらに前記両開きの扉（２）が開放しないように外ケース（１）の周囲を包囲しておく細帯体（４）を設け、前記ソーラーパネル（３）で発電された電気により作動する切断手段（５）によって、前記細帯体（４）を切断することによって、前記両開きの扉（２）が宇宙で開放するようにしており、前記外ケース（１）の内部には、遺品や遺骨等が収納でき、宇宙で自然に開放して、その収納した遺品や遺骨等を宇宙に散布可能とした多数個の内ケース（６）を収納したことを特徴とする宇宙葬用遺品、遺骨等散布装置。
【請求項２】
前記外ケース（１）を直方体形状とし、この外ケース（１）の向かい合う面の全面にそれぞれ、前記両開きの扉（２）を設けたことを特徴とする請求項１記載の宇宙葬用遺品、遺骨等散布装置。
【請求項３】
前記ソーラーパネル（３）を、前記両開きの扉（２）を設けた外ケース（１）の向かい合う面以外の向かい合う面の全面に設けたことを特徴とする請求項２記載の宇宙葬用遺品、遺骨等散布装置。
【請求項４】
前記細帯体（４）を伸縮自在なものとしたことを特徴とする請求項１〜３の何れかに記載の宇宙葬用遺品、遺骨等散布装置。
【請求項５】
前記細帯体（４）を熱可塑性樹脂材からなるものとし、前記切断手段（５）を、前記ソーラーパネル（３）で発電された電気により発熱する発熱棒（５ａ）とし、この発熱棒（５ａ）を前記細帯体（４）に接触するように配設したことを特徴とする請求項１〜４の何れかに記載の宇宙葬用遺品、遺骨等散布装置。
【考案の詳細な説明】
【技術分野】
【０００１】
この考案は、宇宙葬を望む人の遺品や遺骨等を収納して宇宙に移送し、これらの遺品や遺骨等を宇宙空間において散布するための宇宙葬用遺品、遺骨等散布装置に関するものである。
【背景技術】
【０００２】
従来、宇宙葬事業者が、宇宙葬を望む会員や遺族に、遺品や遺骨、メッセージ等の収納可能な容器を送り届け、遺品や遺骨、メッセージ等を収納してもらった容器を回収し、ロケットで宇宙空間へ打ち上げ移送する宇宙葬システムが存在する（特許文献１）。
【０００３】
前記宇宙葬システムに使用される容器としては、ＦＲＰ等のプラスチック素材や金属からなる耐圧カプセルとして、遺品や遺骨、メッセージ等が長期間にわたって容器内で良好な保存状態を保ったまま宇宙を漂うようにすることができるとしている。
【先行技術文献】
【特許文献】
【０００４】
【特許文献１】特開平５−１１５５１６号公報
【考案の概要】
【考案が解決しようとする課題】
【０００５】
上記従来の宇宙葬システムに使用される遺品や遺骨、メッセージ等を収納した容器は、長期間にわたって容器内で良好な保存状態を保ったまま宇宙を漂うようにすることができるとしているが、宇宙葬を望む会員や遺族の中には、遺品や遺骨、メッセージ等が、容器内入ったまま宇宙を漂うようのではなく、容器から散布された状態で宇宙を漂うようにしたいという要望があった。
【０００６】
そこで、この考案は、上記従来の要望の実現化を図ることをその課題としており、遺品や遺骨等が収納されて、ロケット等により宇宙空間に移送され、宇宙空間へ放出された後、遺品や遺骨等が自動的に散布され、宇宙を漂うようにした宇宙葬用遺品、遺骨等散布装置を提供することを目的としてなされたものである。
【課題を解決するための手段】
【０００７】
そのため、この考案の宇宙葬用遺品、遺骨等散布装置は、外ケース１に両開きの扉２を設けると共に、この外ケース１の外面にソーラーパネル３を設け、さらに前記両開きの扉２が開放しないように外ケース１の周囲を包囲しておく細帯体４を設け、前記ソーラーパネル３で発電された電気により作動する切断手段５によって、前記細帯体４を切断することによって、前記両開きの扉２が宇宙で開放するようにしており、前記外ケース１の内部には、遺品や遺骨等が収納でき、宇宙で自然に開放して、その収納した遺品や遺骨等を宇宙に散布可能とした多数個の内ケース６を収納したものとしている。
【０００８】
さらに、この考案の宇宙葬用遺品、遺骨等散布装置は、前記外ケース１を直方体形状とし、この外ケース１の向かい合う面の全面にそれぞれ、前記両開きの扉２を設けたものとしている。
【０００９】
また、この考案の宇宙葬用遺品、遺骨等散布装置は、前記ソーラーパネル３を、前記両開きの扉２を設けた外ケース１の向かい合う面以外の向かい合う面の全面に設けたものとしている。
【００１０】
さらに、この考案の宇宙葬用遺品、遺骨等散布装置は、前記細帯体４を伸縮自在なものとしている。
【００１１】
また、この考案の宇宙葬用遺品、遺骨等散布装置は、前記細帯体４を熱可塑性樹脂材からなるものとし、前記切断手段５を、前記ソーラーパネル３で発電された電気により発熱する発熱棒５ａとし、この発熱棒５ａを前記細帯体４に接触するように配設したものとしている。
【考案の効果】
【００１２】
この考案の宇宙葬用遺品、遺骨等散布装置は、以上に述べたように構成されているので、遺品や遺骨等が収納されて、ロケット等により宇宙空間に移送され、宇宙空間へ放出された後、遺品や遺骨等が自動的に散布され、宇宙を漂うものとなる。
【図面の簡単な説明】
【００１３】
【図１】この考案の宇宙葬用遺品、遺骨等散布装置の斜視図である。
【図２】この考案の宇宙葬用遺品、遺骨等散布装置の扉を開いた状態を示す斜視図である。
【考案を実施するための形態】
【００１４】
以下、この考案の宇宙葬用遺品、遺骨等散布装置を実施するための形態を、図面に基づいて詳細に説明する。
【００１５】
この考案の宇宙葬用遺品、遺骨等散布装置は、図１、２に示したように、外ケース１の少なくとも一個所に両開きの扉２を設けると共に、この外ケース１の外面にソーラーパネル３を設け、さらに前記両開きの扉２が開放しないように外ケース１の周囲を包囲しておく細帯体４を設け、前記ソーラーパネル３で発電された電気により作動する切断手段５によって、前記細帯体４を切断することによって、前記両開きの扉２が宇宙で開放するようにしており、前記外ケース１の内部には、遺品や遺骨等が収納でき、宇宙で自然に開放して、その収納した遺品や遺骨等を宇宙に散布可能とした多数個の内ケース６を収納したものとしている。
【００１６】
外ケース１は、例えば直方体形状、円柱形状、角柱形状、円錐形状、角錐形状、台形台形状など、各種の形状として実施することができるが、図示したように直方体形状にするのが、両開きの扉２やソーラーパネル３が設置し易かったり、設置面積を広くすることができるので好ましい。なお、前記外ケース１は、数十個〜数百個以上の内ケース６を収納できる大きさに形成したものとしている。
【００１７】
両開きの扉２は、前記外ケース１の少なくとも一個所に設ければよいが、外ケース１を直方体形状とした場合には、図示したように、外ケース１の向かい合う面の全面に、それぞれ設けたものとしている。このようにすると、両開きの扉２の設置面積が広くなり、両開きの扉２を開放したときの開放面積が広くなるので、外ケース１の内部に収納した内ケース６が宇宙空間に放出し易いものとなり好ましい。なお、前記両開きの扉２は、スプリング（図示せず）の押圧力などを受けて自動開放する構造にするのが好ましい。
【００１８】
ソーラーパネル３は、図示したものでは、前記両開きの扉２を設けた外ケース１の向かい合う面以外の向かい合う面の全面に設けたものとしている。このようにすると、太陽光が受光し易くなると共に、受光面積を大きくすることができる。
【００１９】
細帯体４は、ナイロン、ポリエステル、ポリエチレンなどの熱可塑性樹脂材からなり、前記切断手段５によって切断可能なものとしている。この細帯体４は、前記切断手段５によって切断される部分を、糸状や紐状とするなどして特に細くして、切断され易くしている。さらに、前記細帯体４は、弾力を有するものとしたり、図示したように、コイルスプリング７を途中に介在させるなどして、切断されたときに反発力がはたらくものとするのが好ましい。このようにすると、前記外ケース１の周囲を包囲している細帯体４が切断されると、その反発力で外ケース１から離れていき易くなる。
【００２０】
切断手段５は、前記ソーラーパネル３で発電された電気により、前記細帯体４の融点以上の温度に発熱する発熱棒５ａなどとすることができ、図示したようにソーラーパネル３の端部から、前記細帯体４に接触するように配設したものとしている。このようにすると、前記ソーラーパネル３が太陽光を受光すると、発熱棒５ａが発熱して、この熱が前記細帯体４に伝わって、この細帯体４を溶かして切断するので、前記両開きの扉２にこの細帯体４による押さえ付ける力が働かなくなり、両開きの扉２が自由な状態となって開放されるようになる。
【００２１】
内ケース６は、前記外ケース１と同様に各種の形状として実施することができるが、遺品や遺骨等が直に収納されるようにしているため、外ケース１より趣向を凝らした形状、例えば図示したような、星を象った形状などとして実施するのが好ましい。さらに、この内ケース６は、容易に開放可能な蓋付きケースなどとして、宇宙で自然に開放して、その収納した遺品や遺骨等を宇宙に散布可能としたものとしている。
【００２２】
以上のように構成されたこの考案の宇宙葬用遺品、遺骨等散布装置は、宇宙葬事業者などが、宇宙葬を望む会員や遺族に、内ケース６を送り届け、遺品や遺骨等を収納してもらってから内ケース６を送り返してもらい、その送り返してもらった多数個の内ケース６を外ケース１に収納し、この外ケース１の周囲を細帯体４で包囲したものを、月面探査用や火星探査用のロケット等で宇宙空間へ打ち上げる。そして、この考案の宇宙葬用遺品、遺骨等散布装置を、宇宙空間で、これらロケット等から放出する。
【００２３】
すると、この考案の宇宙葬用遺品、遺骨等散布装置のソーラーパネル３が、宇宙空間で太陽光を受光し、このソーラーパネル３で発電された電気により、発熱棒５ａが細帯体４の融点以上の温度に発熱するので、この発熱棒５ａに接触している細帯体４が溶けて切断される。
【００２４】
前記細帯体４が切断されると、その外ケース１の両開きの扉２にこの細帯体４による押さえ付ける力が働かなくなり、両開きの扉２が自由な状態となって開放される。
【００２５】
前記両開きの扉２が開放されると、図示したように、外ケース１内から多数の内ケース６が宇宙空間に放出され、これら内ケース６がそれぞれ宇宙で自然に開放して、収納された遺品や遺骨等が宇宙に散布される。
【００２６】
したがって、この考案の宇宙葬用遺品、遺骨等散布装置は、構造が簡単なものでありながら、収納された遺品や遺骨等がロケット等により宇宙空間に移送され、宇宙空間へ放出された後、遺品や遺骨等が自動的に散布され、宇宙を漂うようものとなる。
【符号の説明】
【００２７】
１  外ケース
２  扉
３  ソーラーパネル
４  細帯体
５  切断手段
５ａ  発熱体
６  内ケース
【図１】
0003162197.tif 000003
【図２】
0003162197.tif 000004
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
外ケース（１）に両開きの扉（２）を設けると共に、この外ケース（１）の外面にソーラーパネル（３）を設け、さらに前記両開きの扉（２）が開放しないように外ケース（１）の周囲を包囲しておく細帯体（４）を設け、前記ソーラーパネル（３）で発電された電気により作動する切断手段（５）によって、前記細帯体（４）を切断することによって、前記両開きの扉（２）が宇宙で開放するようにしており、前記外ケース（１）の内部には、遺品や遺骨が収納でき、宇宙で自然に開放して、その収納した遺品や遺骨を宇宙に散布可能とした多数個の内ケース（６）を収納したことを特徴とする宇宙葬用遺品、遺骨散布装置。
【請求項２】
前記外ケース（１）を直方体形状とし、この外ケース（１）の向かい合う面の全面にそれぞれ、前記両開きの扉（２）を設けたことを特徴とする請求項１記載の宇宙葬用遺品、遺骨散布装置。
【請求項３】
前記ソーラーパネル（３）を、前記両開きの扉（２）を設けた外ケース（１）の向かい合う面以外の向かい合う面の全面に設けたことを特徴とする請求項２記載の宇宙葬用遺品、遺骨散布装置。
【請求項４】
前記細帯体（４）を伸縮自在なものとしたことを特徴とする請求項１〜３の何れかに記載の宇宙葬用遺品、遺骨散布装置。
【請求項５】
前記細帯体（４）を熱可塑性樹脂材からなるものとし、前記切断手段（５）を、前記ソーラーパネル（３）で発電された電気により発熱する発熱棒（５ａ）とし、この発熱棒（５ａ）を前記細帯体（４）に接触するように配設したことを特徴とする請求項１〜４の何れかに記載の宇宙葬用遺品、遺骨散布装置。